(57)【要約】【課題】各種基板を集約することによって盤内の省スペース化を図り、また、筐体本体がコンパクトであり、さらに、火災受信機の製造時における作業効率およびメンテナンス交換時における作業効率を上げることができる火災受信機を提供することを目的とするものである。【解決手段】筐体本体と、この筐体本体に設けられている扉と、主制御部とスイッチ操作部と表示制御部とが集約されている１つの基板であって、上記扉に設けられている基板とを有する火災受信機である。【選択図】図１
2007310629.tif 000002
【特許請求の範囲】
【請求項１】
筐体本体と；
この筐体本体に設けられている扉と；
主制御部と、スイッチ操作部と、表示制御部とが集約されている１つの基板であって、上記扉に設けられている基板と；
を有することを特徴とする火災受信機。
【請求項２】
請求項１において、
電源を制御する電源制御部と移報部とを具備し、上記筐体本体に設けられている他の基板とを有することを特徴とする火災受信機。
【請求項３】
請求項１において、
上記１つの基板は、一方の面に、ＬＥＤとスイッチを含む操作部系の部品とが搭載され、他方の面に、マイコン、半導体チップ部品が搭載されている基板であることを特徴とする火災受信機。
【請求項４】
請求項１において、
上記１つの基板と、表示部と、スピーカと、電話ジャックとが、樹脂によって一体化され、この一体化部材が操作パネルを構成していることを特徴とする火災受信機。
【発明の詳細な説明】
【技術分野】
【０００１】
本発明は、火災受信機に関する
【背景技術】
【０００２】
端末との間で伝送し、火災監視動作や制御系端末の制御を行う火災受信機が知られている（たとえば、特許文献１参照）。
【０００３】
図４は、従来の火災受信機ＲＥ２を示す図である。
【０００４】
従来の火災受信機ＲＥ２は、筐体本体Ｍ２と扉Ｄ２とを有し、扉Ｄ２は、筐体本体Ｍ２に設けられている。
【０００５】
筐体本体Ｍ２には、電源部２０と、電池３７と、ＣＣＵ基板６０と、電源制御部７０と、電源端子増設基板３１と、汎用出力基板３４と、汎用入力基板３５と、ホスト接続用基板３６とが設けられている。
【０００６】
扉Ｄ２には、液晶表示部＋タッチパネル２０と、表示制御部８１と、スイッチ操作部８２と、電話ジャックＪ１と、スピーカＳＰ１とが設けられている。
【０００７】
なお、ＣＣＵ基板６０は、主制御部＋移報部であり、電源制御部７０は、電源制御部であり、スイッチ操作部８２は、スイッチ操作部である。
【０００８】
つまり、従来の火災受信機ＲＥ２は、その主制御部を含むメイン基板が、筐体本体Ｍ２に配置され、表示制御部を含む表示制御基板が、扉Ｄ２に配置されている。
【特許文献１】特開２００５−０３２０２５号公報
【発明の開示】
【発明が解決しようとする課題】
【０００９】
上記従来例において、扉Ｄ２側の基板と部品とを、扉Ｄ２の板金に直接取り付けるか、取付用の板金を介して取り付けている。板金に取り付ける場合、取り付け構造が複雑になり、現場で基板や部品を交換する際、作業時間がかかり、かつ高い作業技術を必要とする。製造組立時も同様に、作業工数がかかる。
【００１０】
設置物件の大きさによって、適宜増設する必要のないもの（１つあれば足りるもの）は、表示制御部８１、ＬＣＤ（液晶表示部＋タッチパネル）２０、スイッチ操作部８２、スピーカＳＰ１、電話ジャックＪ１、主制御部＋移報部６０、電源制御部７０、電源部２０、電池３７である。
【００１１】
これら以外のものは、端末の接続数等に対応して適宜増設する必要があるので、必然的に増設設置用スペースとなりうる筐体本体Ｍ２側に配置される。
【００１２】
また、上記のうちで、電源部２０や電池３７は大きいので、筐体本体Ｍ２側に配置する必要があり、それらに接続される電源制御部７０も必然的に筐体本体Ｍ２側に配置する必要がある。また、移報部も、移報入力する汎用入力基板３５、移報出力する汎用出力基板３４と配線接続する関係で筐体本体Ｍ２側に配置することが好ましい。
【００１３】
本発明は、各種基板を集約して盤内の省スペース化を図り、筐体本体をコンパクトにし、また、製造時およびメンテナンス交換時の作業効率を上げることができる火災受信機を提供することを目的とする。
【課題を解決するための手段】
【００１４】
本発明は、筐体本体と、この筐体本体に設けられている扉と、主制御部とスイッチ操作部と表示制御部とが集約されている１つの基板であって、上記扉に設けられている基板とを有する火災受信機である。
【発明の効果】
【００１５】
本発明によれば、主制御部、スイッチ操作部、表示制御部を１つの基板に集約し、この基板を扉に配置するので、盤内の省スペース化を図ることができ、筐体本体をコンパクトにすることができるという効果を奏する。
【発明を実施するための最良の形態】
【００１６】
発明を実施するための最良の形態は、以下の実施例である。
【実施例１】
【００１７】
図１は、本発明の実施例１である火災受信機ＲＥ１を含む火災報知設備ＦＡ１のシステム構成を示すブロック図である。
【００１８】
火災報知設備ＦＡ１は、端末として、差動式スポット型感知器ＳＥ１と、光電式スポット型感知器ＳＥ２と、熱アナログ感知器ＳＥ３と、光電式アナログ感知器ＳＥ４と、アドレッサブル発信機ＳＥ５と、ショートサーキットアイソレータＳＣＩと、防排煙制御用中継器Ｃ１と、火災監視用中継器Ｃ２、Ｃ３、Ｃ８と、地区音響制御用中継器Ｃ４と、ガス漏れ検知用中継器Ｃ５と、防排煙制御用中継器Ｃ６と、中継器Ｃ７とを有する。これらは、伝送線（１系統）を介して、火災受信機ＲＥ１に接続されている。
【００１９】
また、火災報知設備ＦＡ１は、メッセージ表示機Ｄ１、Ｄ２、〜、Ｄ３１と、ディスプレイシステムＤＰ１と、各中継器に接続される機器として、一般型感知器ＳＥ６、ＳＥ７、ＳＥ８と、ガス漏れ検知器ＳＥ９と、Ｐ型発信機Ｇ１、Ｇ２と、地区ベルＢＬと、防排煙機器（設備）ＤＳ１、ＤＳ２とを有する。
【００２０】
差動式スポット型感知器ＳＥ１は、いわゆる熱感知器であって、火災による熱（温度上昇）を検出して火災と判別されるときに、火災信号を送信する。光電式スポット型感知器ＳＥ２は、いわゆる煙感知器であって、火災による煙を検出して火災と判別されるときに、火災信号を送信する。熱アナログ感知器ＳＥ３は、熱感知器の一種であって、火災による熱を検出するために、周囲温度のアナログ値を送信する。
【００２１】
光電式アナログ感知器ＳＥ４は、煙感知器の一種であって、煙のアナログ値を送信する。アドレッサブル発信機ＳＥ５は、いわゆる火災発信機であって、火災の発見者が手動操作する押しボタンを備え、火災信号を送信する。
【００２２】
ショートサーキットアイソレータＳＣＩは、後段の伝送線の短絡発生時に、後段の伝送線を切り離す装置であって、通常、信号伝送の必要はないが、火災受信機ＲＥ１からの復旧信号を受信し、復旧するものもある。ここでは、後段の伝送線の短絡解消時に、回復信号を送信する。
【００２３】
防排煙制御用中継器Ｃ１は、火災受信機ＲＥ１からの制御信号を受信し、接続される防排煙機器ＤＳ１を制御する。火災監視用中継器Ｃ２、Ｃ３は、信号線を介して一般型感知器または火災発信機が接続され、それらからの火災信号（スイッチング動作）を受信し、火災信号を送信する。火災監視用中継器Ｃ２は、自動試験機能付火災感知器を接続することができる。
【００２４】
地区音響制御用中継器Ｃ４は、火災受信機ＲＥ１からの制御信号を受信して、接続されている地区ベルＢＬを鳴動させる。ガス漏れ検知用中継器Ｃ５は、信号線を介して、ガス漏れ検知器ＳＥ９が接続され、信号（スイッチング動作）を受信し、ガス漏れ信号を送信する。
【００２５】
防排煙制御用中継器Ｃ６は、防排煙制御用中継器Ｃ１と同様である。中継器Ｃ７は、従来の中継器である。火災監視用中継器Ｃ８は、火災監視用中継器Ｃ３と同様である。
【００２６】
図２は、火災受信機ＲＥ１を示すブロック図である。
【００２７】
火災受信機ＲＥ１は、ＰＳＵ基板１０と、プリンタＰＲ１と、ＯＰＯ基板Ｂ１と、ＯＰＩＮ基板Ｂ２と、ＯＰＰＳ基板Ｂ３、Ｂ４と、ＮＩＵ基板（ホスト接続用基板）Ｂ５と、ＭＣＵ基板５０と、スピーカＳＰ１と、インバータＩＮＶ１と、タッチパネルＴＰとして作用するＬＣＤ４０と、電話ジャックＪ１と、ＣＴＵ基板（伝送基板）Ｂ６〜Ｂｎと、ＡＣ／ＤＣ電源ＡＣ／ＤＣと、予備電源ＢＴとを有する。
【００２８】
ＰＳＵ基板１０は、ＡＣ／ＤＣ電源ＡＣ／ＤＣとしてのＡＣ／ＤＣコンバータによってＡＣ１００Ｖから生成された直流電圧、ＤＣ２４Ｖを各基板１０、５０、Ｂ３〜Ｂｎに電源供給する基板であり、また、ＯＰＯ基板Ｂ１、ＯＰＩＮ基板Ｂ２に対して、移報を制御する基板である。ＭＣＵ基板５０は、主制御ユニット基板であり、表示部・メイン処理用の基板であり、メモリカードＭＣ１が挿入、接続される。ＯＰＯ基板Ｂ１は、移報出力用基板である。ＯＰＩＮ基板Ｂ２は、移報入力用基板である。
【００２９】
ＯＰＰＳ基板Ｂ３、Ｂ４は、端末の電源供給用基板であり、中継器Ｃ１〜Ｃ８の２次側に接続された端末（たとえば地区ベルＢＬ）に電源を供給する基板である。ＮＩＵ基板Ｂ５は、ホスト接続用基板であり、ホスト伝送線を介して、ディスプレイシステムＤＰ１と接続される基板である。
【００３０】
インバータＩＮＶ１は、ＬＣＤ４０のバックライトを駆動する電源を制御するものである。
【００３１】
タッチパネルＴＰとして作用するＬＣＤ４０は、入力および表示手段の例である。
【００３２】
ＣＴＵ基板Ｂ６〜Ｂｎは、端末と接続する伝送基板であり、２系統分の伝送線を制御する。
【００３３】
ＡＣ／ＤＣ電源ＡＣ／ＤＣは、商用交流電源ＡＣ１００Ｖを所定の直流電圧、ＤＣ２４Ｖの電源電圧に変換してＰＳＵ基板１０に出力するものである。予備電源ＢＴとしてのバッテリは、ＡＣ１００Ｖによって、ＰＳＵ基板１０、トランス、充電回路を介して常時充電され、ＡＣ１００Ｖの停電時に、ＡＣ／ＤＣ電源ＡＣ／ＤＣの代わりに、直流電圧ＤＣ２４ＶをＰＳＵ基板１０に供給する。
【００３４】
なお、図２に示すように、ＰＳＵ基板１０の電源部（ＡＣ／ＤＣ電源ＡＣ／ＤＣおよび予備電源ＢＴ）からの電源電圧ＤＣ２４Ｖは、電源線を介して、各基板１０、５０、Ｂ３〜Ｂｎに電源供給される。
【００３５】
ここで、ＭＣＵ基板５０、ＮＩＵ基板Ｂ５、ＣＴＵ基板Ｂ６〜Ｂｎには、電源部（不図示）が設けられ、ＰＳＵ基板１０からの電源電圧ＤＣ２４Ｖは、各電源部に電源供給され、各電源部が必要な電源電圧（ＤＣ２４Ｖ、ＤＣ５Ｖ等）を生成し、内部回路等へ電源供給する。
【００３６】
また、ＰＳＵ基板１０、ＭＣＵ基板５０、ＮＩＵ基板Ｂ５、ＣＴＵ基板Ｂ６〜Ｂｎには、上記電源部の他に、Ａ／Ｄ変換部、ＲＯＭ、ＲＡＭを内部に有するマイコン（ＣＰＵ）が搭載されている。
【００３７】
そのため、ＰＳＵ基板１０、ＭＣＵ基板５０、ＮＩＵ基板Ｂ５、ＣＴＵ基板Ｂ６〜Ｂｎは、各電源部から供給される必要な電源電圧（ＤＣ２４Ｖ、ＤＣ５Ｖ、等）を、既知の抵抗分割回路等を介して、各マイコンに取り込んで、自己の電源電圧値を計測してＲＡＭに格納することができる。
【００３８】
このような火災受信機ＲＥ１において、システムの規模に応じて、必要な個数を選択し、適宜増設する必要のある基板がある。
【００３９】
つまり、ＣＴＵ基板Ｂ６〜ＢｎとＯＰＰＳ基板Ｂ３〜Ｂ４とは、端末の接続個数に対応して、また、ＮＩＵ基板Ｂ５は、ホスト機器（たとえば、ディスプレイシステムＤＰ１）の接続個数に対応して、また、ＯＰＯ基板Ｂ１は、移報出力の接続個数に対応して、また、ＯＰＩＮ基板Ｂ２は、移報入力の接点個数に対応して、それぞれ必要な数を適宜増設する必要がある。
【００４０】
そのために、火災受信機ＲＥ１は、システムの規模に応じて、筐体本体の大きさが相違するもの（システムの規模に対応した大きさの筐体本体のもの）が設置される。
【００４１】
次に、火災受信機の盤内配置を一般化したもの、ここでは、図３の火災受信機ＲＥ１を用いて火災受信機の盤内配置について説明する。
【００４２】
図３は、本発明の実施例１である火災受信機ＲＥ１を示す図である。
【００４３】
火災受信機ＲＥ１は、箱状の筐体本体Ｍ１と扉Ｄ１とを有する。
【００４４】
筐体本体Ｍ１には、図２に示すＰＳＵ基板１０としての電源制御部＋移報部１０と、図２に示すＡＣ／ＤＣ電源ＡＣ／ＤＣとしての電源部２０と、図２に示すＯＰＰＳ基板Ｂ３〜Ｂ４としての電源端子増設基板３１と、図２に示すＣＴＵ基板Ｂ６〜Ｂｎとしての端末伝送基板３２、３３と、図２に示すＯＰＯ基板Ｂ１としての汎用出力基板３４と、図２に示すＯＰＩＮ基板Ｂ２としての汎用入力基板３５と、図２に示すＮＩＵ基板Ｂ５としてのホスト接続用基板３６と、図２に示す予備電源ＢＴとしての電池３７とが設けられている。
【００４５】
扉Ｄ１には、図２に示すＬＣＤ４０としての液晶表示部＋タッチパネル４０と、図２に示すＭＣＵ基板５０としてのＭＣＵ基板５０と、図２に示す電話ジャックＪ１としての電話ジャックＪ１と、図２に示すスピーカＳＰ１としてのスピーカＳＰ１と、樹脂パネルＰ１とが設けられている。
【００４６】
ＭＣＵ基板５０は、主制御部と、スイッチ操作部と、表示制御部とを有する。
【００４７】
樹脂パネルＰ１は、液晶表示部＋タッチパネル４０と、ＭＣＵ基板５０と、電話ジャックＪ１と、スピーカＳＰ１と、樹脂パネルＰ１とを一体化し、樹脂モールドされたものである。また、図３には示していないが、図２に示すインバータＩＮＶ１も、樹脂パネルＰ１によって一体化されている。樹脂パネルＰ１は、扉Ｄ１の開口部に設けられ、その前面側から嵌め込み固定されている。つまり、図示しないが、樹脂パネルＰ１の周縁から裏面側に立設された係止用フックが、開口部周縁の扉Ｄ１の裏面に係止する、いわゆるフック取り付けによって嵌め込み固定されている。
【００４８】
そして、ＭＣＵ基板５０の一方の面（たとえば、裏面）に、マイコン、半導体チップ部品を搭載し、他方の面（たとえば、表面）に、スイッチ、ＬＥＤ等操作部系の部品が設けられている。つまり、基板の両面を部品の実装面とするので、１つの基板として集約することができる。
【００４９】
このようにし、樹脂パネルＰ１をストックすれば、製造時の作業効率を上げることができる。つまり、火災受信機ＲＥ１は、上記のように、端末の系統数等に応じて、必要な基板３１〜３６の数が変化するので、必要な基板３１〜３６の数に対応して、段階的にサイズが異なる複数の筐体本体Ｍ１を予め準備し、基板３１〜３６の必要な数に対応する筐体本体Ｍ１のサイズを使用するが、操作パネルＰ１をストックすれば、端末の系統数（接続個数）等に対応して、段階的に準備される筐体本体サイズの異なる受信機に対しても、扉Ｄ１側に樹脂パネルＰ１を取り付けるだけでよく、共通化して利用することができる。また、図１、２に示す集中型か、その他、たとえば分散型等の種類の異なる受信機にも共通化して利用することができる。
【００５０】
また、樹脂パネルＰ１のストックは、保守部品として活用することもできる。メンテナンス時に、現場で交換する際に、液晶等、複雑な作業を要する部品を１つ１つ交換するのではなく、パネルごと交換するので、交換作業が安全かつ容易である。
【００５１】
つまり、ＬＣＤ（液晶表示部＋タッチパネル）４０、スピーカＳＰ１、電話ジャックＪ１を樹脂で一体化し、操作パネル（樹脂パネル）としてストックできるので、製造時およびメンテナンス交換時の作業効率を上げることができる。特に、樹脂パネルＰ１は、扉Ｄ１にフック取り付けによって固定されているので、フック取付を解除して樹脂パネルＰ１を取り外し、交換用の樹脂パネルＰ１をフック取り付けによって嵌め込み固定でき、容易に交換取付できる。
【００５２】
さらに、主制御部とスイッチ操作部と表示制御部との基板を一体化したので、従来の筐体本体Ｍ２におけるＣＣＵ基板６０（主制御部）と、扉Ｄ２における基板（表示制御部８１、スイッチ操作部８２）との間の信号処理が不要になり、処理速度が向上する。
【００５３】
なお、ＭＣＵ基板５０には、集中受信機（図１に示すように、全ての端末の監視と制御とを１つの火災受信機で行うシステムの火災受信機）、分散受信機（端末の監視と制御とを行う火災受信機の複数がＬＡＮ接続され、互いに伝送を行って情報を共有するシステムの火災受信機）のプログラムが格納されている不揮発性の記憶媒体としてのフラッシュＲＯＭ、プログラム選択スイッチが設けられ、この選択スイッチの操作によって、集中受信機または分散受信機として選択的に機能する。
【００５４】
上記実施例によれば、主制御部、スイッチ操作部、表示制御部を１つの基板５０に集約し、この基板５０を扉Ｄ２に配置するので、盤内の省スペース化を図ることができ、筐体本体Ｍ１をコンパクトにすることができる。
【００５５】
従来の４枚基板７０、６０、８１、８２から２枚基板１０、５０へ集約されたので、盤内が省スペース化され、筐体本体Ｍ２を筐体本体Ｍ１へと小さくすることができ、したがって、製造コストを下げることができる。
【００５６】
また、各基板６０、８１、８２を基板５０に集約したので（但し、移報部は除く）、主制御部による表示操作の処理速度が速くなる。
【図面の簡単な説明】
【００５７】
【図１】本発明の実施例１である火災受信機ＲＥ１を含む火災報知設備のシステム構成を示す図である。
【図２】火災受信機ＲＥ１を示す図である。
【図３】本発明の実施例１である火災受信機ＲＥ１を示す図である。
【図４】従来の火災受信機ＲＥ２を示す図である。
【符号の説明】
【００５８】
ＲＥ１…火災受信機、
Ｍ１…筐体本体、
１０…電源制御部＋移報部、
２０…電源部、
Ｄ１…扉、
４０…液晶表示部＋タッチパネル、
５０…ＭＣＵ基板（主制御部＋スイッチ操作部＋表示制御部）、
Ｊ１…電話ジャック、
ＳＰ１…スピーカ、
Ｐ１…樹脂パネル。
【図１】
2007310629.tif 000003
【図２】
2007310629.tif 000004
【図３】
2007310629.tif 000005
【図４】
2007310629.tif 000006